(57)【要約】【課題】器体を握りやすくすることでプラグの抜き差しを容易にしたテーブルタップを提供する。【解決手段】テーブルタップＡは、縦長箱状の器体３と、器体３の前面及び下面に設けられた複数のコンセント口４とを備えている。器体３は、それぞれ縦長であって一面が開口する断面視コ字状のカバー１及びボディ２を有し、それぞれの開口側からカバー１とボディ２とを組合わせることで器体３が構成されている。カバー１の前面には、長手方向に沿って開口部が２箇所設けられ、開口部と開口部の間の前面及び両側面には、表面が人の指腹に沿うような凹曲面に形成された凹部１ａが一体に設けられている。また、ボディ２において凹部１ａに対応する背面及び両側面には、凹部１ａと略同じ曲率で凹曲面が形成された凹部２ａが一体に設けられ、カバー１とボディ２とを組合わせた状態において凹部１ａと凹部２ａとで器体３の全周に渡る凹部１０が一体的に形成されている。【選択図】図１
2008210589.tif 000002
【特許請求の範囲】
【請求項１】
プラグが接続されるコンセント口を有する器体を備え、当該器体において少なくとも一つの面に、表面が人の指腹に沿うような凹曲面に形成された凹部を設けたことを特徴とするテーブルタップ。
【請求項２】
前記凹部が前記器体の全周に渡って形成されたことを特徴とする請求項１記載のテーブルタップ。
【請求項３】
前記器体において、コンセント口が設けられた面以外の面に前記凹部が形成されたことを特徴とする請求項１記載のテーブルタップ。
【請求項４】
前記コンセント口に内部への水の浸入を防止する防水手段を設けたことを特徴とする請求項１〜３の何れか１項に記載のテーブルタップ。
【発明の詳細な説明】
【技術分野】
【０００１】
本発明は、プラグの抜き差しを容易にしたテーブルタップに関するものである。
【背景技術】
【０００２】
従来より、図５に示すように複数のコンセント口４が設けられたテーブルタップＡがあった。このテーブルタップＡは、それぞれ縦長であって一面が開口する断面視コ字状のカバー１及びボディ２を有しており、それぞれの開口側からカバー１及びボディ２を組合わせることで器体３が構成されている。器体３の前面には、長手方向に沿ってコンセント口４が２箇所設けられ、器体３の長手方向一端側の端面にはコンセント口４が１箇所設けられている。各コンセント口４には、一対の栓刃挿入口４ａ、４ｂがそれぞれ設けられている。また、器体３の長手方向他端側から、先端側にプラグ（図示せず）を有する電源コード６がブッシング５を介して導出されている。
【０００３】
このテーブルタップＡでは、カバー１及びボディ２の表面が平らであり、器体３を握っても引っ掛りがないため、プラグをコンセント口４に抜き差しする際に強い力で器体３を握る必要があり、作業性が悪かった。
【０００４】
そこで、プラグの抜き差しを容易にするために、滑り止め部を設けたテーブルタップが提案されている（例えば特許文献１参照）。このテーブルタップは、コードユニットと、複数のコンセント口を有する本体ユニット及び増設ユニットとを備えており、本体ユニット及び増設ユニットの両側面には、長手方向に沿って若干のうねりを持つ滑り止め部がそれぞれ形成されている。
【特許文献１】特開２００５−３２７６３２号公報（第１１頁−第１２頁、及び、第２図−第３図）
【発明の開示】
【発明が解決しようとする課題】
【０００５】
上述の特許文献１に示したテーブルタップでは、人の手の指に比べてうねりの幅が小さく、本体ユニット又は増設ユニットを握った際に指腹を凹み部分に沿わせることができないので、滑り止めの効果は十分ではなかった。
【０００６】
本発明は上記問題点に鑑みて為されたものであり、その目的とするところは、器体を握りやすくすることでプラグの抜き差しを容易にしたテーブルタップを提供することにある。
【課題を解決するための手段】
【０００７】
請求項１の発明は、プラグが接続されるコンセント口を有する器体を備え、当該器体において少なくとも一つの面に、表面が人の指腹に沿うような凹曲面に形成された凹部を設けたことを特徴とする。
【０００８】
請求項２の発明は、凹部が器体の全周に渡って形成されたことを特徴とする。
【０００９】
請求項３の発明は、器体において、コンセント口が設けられた面以外の面に凹部が形成されたことを特徴とする。
【００１０】
請求項４の発明は、コンセント口に内部への水の浸入を防止する防水手段を設けたことを特徴とする。
【発明の効果】
【００１１】
請求項１の発明によれば、器体において少なくとも一つの面に、表面が人の指腹に沿うような凹曲面に形成された凹部を設けることによって、プラグをプラグ挿入口に抜き差しする際に、器体に設けた凹部に指を沿わせて器体を握ることで、指が凹部に引っ掛かり器体を保持する力を大きくすることができるので、器体を確実に保持した状態でプラグの抜き差しを行うことができ、プラグの抜き差しが容易になるという効果がある。
【００１２】
請求項２の発明によれば、凹部を器体の全周に渡って形成することによって、器体をどの方向から握っても指腹を凹部に沿わせることができ、握りやすくなるという効果がある。
【００１３】
請求項３の発明によれば、器体においてコンセント口が設けられた面は平面のままなので、ＡＣアダプタ等が接続される場合であっても接触面積を大きくとることができ、安定した接続を確保することができるという効果がある。
【００１４】
請求項４の発明によれば、コンセント口に防水手段を設けることによって、水や埃が飛散した場合でも、コンセント口から水や埃が内部に入り込むのを防止することができるという効果がある。
【発明を実施するための最良の形態】
【００１５】
（第１の実施形態）
第１の実施形態を図１及び図２に基づいて説明する。本実施形態のテーブルタップＡは、例えば壁面等に設けられたコンセント（図示せず）から供給される商用電源を、器体３に設けたコンセント口４に接続されたプラグを介して外部機器に供給するために用いられる。尚、以下の説明では特に断りがない場合、図２（ａ）に示す向きにおいて上下左右の方向を規定し、図２（ａ）の正面を前面という。従って図１の下側が後面になる。
【００１６】
本実施形態のテーブルタップＡは、上下方向に延出する縦長箱状の器体３と、器体３の前面及び下面に設けられた複数（図２（ａ）では３個）のコンセント口４と、器体３に一体的に取着される電源コード６とを備えている。
【００１７】
器体３は、それぞれ縦長であって一面が開口する断面視コ字状の合成樹脂製のカバー１及びボディ２を有しており、それぞれの開口側からカバー１とボディ２とを組合わせることで器体３が構成されている。尚、カバー１とボディ２は、互いを組合わせた状態で裏面から固定ねじ７を用いて固定される。
【００１８】
ここで、カバー１の前面には、上下方向に沿って開口部（図示せず）が２箇所設けられ、カバー１の下面には切欠部（図示せず）が設けられている。また、カバー１において開口部と開口部の間の前面及び両側面には、表面が人の指腹に沿うような凹曲面に形成された凹部１ａが一体に設けられ、カバー１の上端寄りの両側面には、表面が人の指腹に沿うような凹曲面に形成された凹部１ｂ、１ｂがそれぞれ設けられている。
【００１９】
一方、ボディ２において凹部１ａに対応する後面及び両側面には、表面が凹部１ａと略同じ曲率の凹曲面に形成された凹部２ａが一体に設けられ、ボディ２において凹部１ｂに対応する両側面には、表面が凹部１ｂと略同じ曲率の凹曲面に形成された凹部２ｂがそれぞれ設けられている。
【００２０】
また、ボディ１の下面においてカバー１の下面に設けた切欠部に対応する部位には、カバー１の切欠部と略同形状の切欠部（図示せず）が設けられ、カバー１とボディ２とを組合わせた状態においてカバー１の切欠部とボディ２の切欠部とで下面の開口部を形成している。さらに、カバー１とボディ２とを組合わせた状態では、凹部１ａと凹部２ａとが器体３の全周に渡る凹部１０を一体的に構成し、凹部１ｂと凹部２ｂとが器体３の上部位置において一体的に凹部１１を構成している。
【００２１】
この器体３の内部には、器体３の前面及び下面に設けた開口部に対応する部位に突出部１２がそれぞれ形成された内ボディ（図示せず）が配設され、各突出部１２には開口部から露出する部位に、一対の栓刃挿入口４ａ、４ｂを有するコンセント口４が設けられている。また、各突出部１２と、対応する開口部との間には、略矩形枠状のパッキン９が各コンセント口４に接続されるプラグと密着できるように器体３の表面から突出した状態で挟み込みにより取着されている。さらに、各コンセント口４の栓刃挿入口４ａ、４ｂの内側部位には、プラグの非接続時にばね等の付勢力により栓刃挿入口４ａ、４ｂを閉塞するとともに、プラグ接続時にプラグの栓刃に押されてばね等の付勢力に抗して栓刃挿入口４ａ、４ｂを解放する扉体８がそれぞれスライド移動自在に取着されている。また、各コンセント口４の栓刃挿入口４ａ、４ｂから挿入されるプラグの栓刃に対応する部位には、挿入された各栓刃を挟持する一対の刃受部材（図示せず）がそれぞれ配設されている。ここに、パッキン９と、扉体８とで防水手段が構成されている。尚、パッキン９及び扉体８は、従来周知のものを使用しており、詳細については説明を省略する。
【００２２】
さらに、器体３の上面には、カバー１に設けた切欠部１ｃ及びボディ２に設けた切欠部２ｄにより開口部が形成され、この開口部には一端側に取着された蛇腹形状のブッシング５を介して電源コード６が一体的に取着されており、電源コード６の他端側には差込プラグ１３が接続されている。また、電源コード６の一対の芯線（図示せず）の一端側は、内ボディに収納された各刃受部材にそれぞれ結線され、各芯線の他端側は差込プラグ１３の栓刃１３ａ、１３ａにそれぞれ電気的に接続されている。
【００２３】
このテーブルタップＡでは、表面が人の指腹に沿うような凹曲面に形成された凹部１０、１１を器体３に設けることによって、プラグをコンセント口４に抜き差しする際に、器体３に設けた凹部１０、１１に指を沿わせて器体３を握ることで、指が凹部１０、１１に引っ掛かり器体３を保持する力を大きくすることができるので、器体３を確実に保持した状態でプラグの抜き差しを行うことができ、プラグの抜き差しが容易になる。また、凹部１０を器体３の全周に渡って形成することによって、器体３をどの方向から握っても指腹を凹部１０に沿わせることができ、握りやすくなる。さらに、コンセント口４にプラグを差し込んでいない状態では栓刃挿入口４ａ、４ｂを扉体８で塞いでいるので、水や埃が飛散した場合にコンセント口４から水や埃が内部に入り込むのを防止することができ、またプラグ接続時には、プラグを防水パッキン９に密着させて接続することで、プラグと器体３の隙間から水や埃が内部に入り込むのを防止することができる。
尚、凹部を設ける位置及び数量については、本実施形態に限定されるものではなく、器体３の大きさ等に応じて適宜選択すればよい。
【００２４】
（第２の実施形態）
第２の実施形態を図３及び図４に基づいて説明する。本実施形態のテーブルタップＡは、器体３と、コンセント口４と、電源コード６とを備えている。第１の実施形態で説明したテーブルタップＡでは、器体３の全周に渡って凹部１０を設けているのに対して、本実施形態では、ボディ２の両側面に長手方向に間隔をおいて複数の凸部２ｃを形成することで隣接する凸部２ｃと凸部２ｃの間に凹部２ｅを設けている。尚、凹部２ｅを設けた以外の構成は第１の実施形態と同様であり、同一の構成要素には同一の符号を付して説明は省略する。
【００２５】
ボディ２の両側面には、上下方向に間隔をおいて複数（図４では３個）の凸部２ｃがそれぞれ一体に設けられ、隣接する凸部２ｃと凸部２ｃの間には、表面が人の指腹に沿うような凹曲面に形成され、斜め上方に傾斜した凹部２ｅが各２箇所ずつ設けられている。
【００２６】
このテーブルタップＡでは、プラグをコンセント口４に抜き差しする際に、ボディ２の両側面に設けた凹部２ｅに指を沿わせて器体３を握ることで、器体３を確実に保持した状態でプラグの抜き差しを行うことができ、プラグの抜き差しが容易になる。また、ボディ２の上下方向に沿う両側面にのみ凹部２ｅを設けており、器体３においてコンセント口４が設けられた面は平坦面に形成されているので、ＡＣアダプタ等が接続される場合であっても接触面積を大きくとることができ、安定した接続を確保することができる。
【図面の簡単な説明】
【００２７】
【図１】第１の実施形態のテーブルタップの斜視図である。
【図２】同上を示し、（ａ）は正面図、（ｂ）は側面図、（ｃ）は背面図、（ｄ）は上面図、（ｅ）は下面図である。
【図３】第２の実施形態のテーブルタップの斜視図である。
【図４】同上を示し、（ａ）は正面図、（ｂ）は側面図、（ｃ）は背面図、（ｄ）は上面図、（ｅ）は下面図である。
【図５】従来例のテーブルタップを示し、（ａ）は正面図、（ｂ）は側面図、（ｃ）は背面図、（ｅ）は上面図、（ｄ）は下面図である。
【符号の説明】
【００２８】
１    カバー
１ａ  凹部
１ｂ  凹部
２    ボディ
２ａ  凹部
２ｂ  凹部
３    器体
４    コンセント口
１０  凹部
１１  凹部
Ａ    テーブルタップ
【図１】
2008210589.tif 000003
【図２】
2008210589.tif 000004
【図３】
2008210589.tif 000005
【図４】
2008210589.tif 000006
【図５】
2008210589.tif 000007